(57)【要約】【課題】簡易な体温測定における測定精度をより向上させることの出来る温度測定装置及び温度測定方法を提供する。【解決手段】温度測定装置（１００）は、前腕の第１の部位の温度を測定する第１温度センサ（１１）と、前腕の第２の部位の温度を測定する第２温度センサ（１２）と、測定された前記第１の部位の温度及び前記第２の部位の温度から体温を検出する体温検出手段と、を備え、第１の部位と第２の部位は、一方の部位の前腕における静脈位置との距離に対して、他方の部位の静脈位置との距離は離れている。【選択図】図１
2017055968.tif 000002
【特許請求の範囲】
【請求項１】
前腕の第１の部位の温度を測定する第１の測定手段と、
前腕の第２の部位の温度を測定する第２の測定手段と、
測定された前記第１の部位の温度及び前記第２の部位の温度から体温を検出する体温検出手段と、を備え、
前記第１の部位と前記第２の部位は、一方の部位の前腕における静脈位置との距離に対して、他方の部位の前記静脈位置との距離は離れている
ことを特徴とする温度測定装置。
【請求項２】
前記第１の部位は、手首の掌側の皮膚であり、前記第２の部位は、手首の手の甲側の皮膚であることを特徴とする請求項１記載の温度測定装置。
【請求項３】
前記体温検出手段は、前記掌側の皮膚温を静脈側皮膚温とし、前記手の甲側の皮膚温を外面側皮膚温として、前記静脈側皮膚温と前記外面側皮膚温の差分値に基づいて前記体温を検出することを特徴とする請求項２記載の温度測定装置。
【請求項４】
前記第１の測定手段の測定部位と前記第２の測定手段の測定部位とをユーザの手首において対称な位置に設定可能に前記第１の測定手段及び前記第２の測定手段が設けられた手首装着具を備えることを特徴とする請求項１〜３の何れか一項に記載の温度測定装置。
【請求項５】
前記第１の測定手段が測定した温度と、前記第２の測定手段が測定した温度とに基づいて、測定位置周囲の周辺温度を検出する周辺温度検出手段を備えることを特徴とする請求項１〜４の何れか一項に記載の温度測定装置。
【請求項６】
前記第１の測定手段及び前記第２の測定手段には、それぞれ赤外線放射温度センサが用いられることを特徴とする請求項１〜５の何れか一項に記載の温度測定装置。
【請求項７】
表面温度を測定する測定手段を用いた温度測定方法であって、
前腕の第１の部位の温度を測定する第１測定ステップ、
前腕の第２の部位の温度を測定する第２測定ステップ、
測定された前記第１の部位の温度及び前記第２の部位の温度から体温を検出する体温検出ステップ、を含み、
前記第１の部位と前記第２の部位は、一方の部位の前腕における静脈位置との距離に対して、他方の部位の前記静脈位置との距離は離れている
ことを特徴とする温度測定方法。
【発明の詳細な説明】
【技術分野】
【０００１】
この発明は、温度測定装置及び温度測定方法に関する。
【背景技術】
【０００２】
従来、ユーザにより装着されて所定の間隔で体温（体内深部温度）の計測を行う温度測定装置がある。このような温度測定装置は、ユーザに装着に係る負担を増加させないため、小型軽量なものが好ましく、また、ユーザが装着しやすく且つユーザの活動に障害とならない場所であることが好ましい。このことから、ユーザの腕に装着されて皮膚温（体表面温度）を計測するものが広く知られている。
【０００３】
しかしながら皮膚温は、外気温の影響を受け、体温とは異なる温度で計測され易いという問題がある。そこで、従来、表面温度と外気温（環境温度）とを計測し、所定の関係式を用いて体温を算出する技術（特許文献１、特許文献２）や、異なるタイミングで計測された体温を比較して熱流速を算出し、体温を算出する技術（特許文献３）が知られている。
【先行技術文献】
【特許文献】
【０００４】
【特許文献１】特表２００２−５０７９０４号公報
【特許文献２】特開２０１２−２３７６７０号公報
【特許文献３】特開２００２−３７２４６４号公報
【発明の概要】
【発明が解決しようとする課題】
【０００５】
しかしながら、表面温度と外気温との関係や熱伝導に係るパラメータは、人によって異なり、また、外気温、衣類の有無や種別などの外部環境の変化による影響も大きいことから、従来の技術では、精度を上げることが出来ないという課題があった。
【０００６】
この発明の目的は、簡易な体温測定における測定精度をより向上させることの出来る温度測定装置及び温度測定方法を提供することにある。
【課題を解決するための手段】
【０００７】
上記目的を達成するため、本発明は、
前腕の第１の部位の温度を測定する第１の測定手段と、
前腕の第２の部位の温度を測定する第２の測定手段と、
測定された前記第１の部位の温度及び前記第２の部位の温度から体温を検出する体温検出手段と、を備え、
前記第１の部位と前記第２の部位は、一方の部位の前腕における静脈位置との距離に対して、他方の部位の前記静脈位置との距離は離れている
ことを特徴とする温度測定装置である。
【発明の効果】
【０００８】
本発明に従うと、簡易な体温測定における測定精度をより向上させることが出来るという効果がある。
【図面の簡単な説明】
【０００９】
【図１】本発明の実施形態の温度測定装置を示す全体図である。
【図２】温度測定装置がユーザにより装着された状態を示す図である。
【図３】温度測定装置の機能構成を示すブロック図である。
【図４】温度測定装置で実行される体温測定処理の制御手順を示すフローチャートである。
【図５】被験者の測定結果から得られた体温と外面側皮膚温の差と、内側皮膚温と外面側皮膚温の差との対応関係をプロットした図である。
【発明を実施するための形態】
【００１０】
以下、本発明の実施の形態を図面に基づいて説明する。
図１は、本実施形態の温度測定装置の全体図である。
【００１１】
この温度測定装置１００は、リストバンド１０（手首装着具）と、第１温度センサ１１（第１の測定手段）と、第２温度センサ１２（第２の測定手段）と、処理部１３と、操作表示部１４などを備える。
【００１２】
リストバンド１０は、ユーザの手首から肘までの前腕、特に、手首に装着可能な太さであって、環状のものである。このリストバンド１０は、両端が開放可能であって、装着時に環状に閉じることが可能なベルト状のものであっても良い。また、ユーザによる装着位置の太さに応じて太さを可変とすることが出来る。リストバンド１０の幅は、適宜設定可能である。
【００１３】
第１温度センサ１１と第２温度センサ１２は、リストバンド１０の内側、即ち、前腕との対向面側に当該前腕に対して対称となる位置で測定対象の表面温度を測定可能に設けられる。第１温度センサ１１と第２温度センサ１２の少なくとも一方は、前腕の太さや装着位置に応じて位置を環状の周方向に位置を微調整可能であっても良い。
【００１４】
処理部１３は、第１温度センサ１１及び第２温度センサ１２の測定温度データを取得して処理等を行う。リストバンド１０の外側、即ち、ユーザの前腕に接触しない側には、操作表示部１４が設けられている。操作表示部１４は、算出された体温などの簡易な表示を行いまた、タッチパネルなどによる操作を受け付ける。
処理部１３は図示略の電源部を備えて動作すると共に、第１温度センサ１１、第２温度センサ１２及び操作表示部１４に電力を供給する。電力消費に係る発熱量は、体温の測定に影響を与えない程度とされる。
【００１５】
図２は、温度測定装置１００がユーザの前腕に装着された状態を示す図である。
ここでは、第１温度センサ１１が手首の掌側に配置され、第２温度センサ１２が手首の手の甲側に配置されるが、反対に配置されても、後述のように温度差に基づいて何れが掌側か判断可能である。
このとき、第１温度センサ１１による測定位置（第１の部位）は、静脈位置に近接して定められ、第２温度センサ１２による測定位置（第２の部位）は、静脈位置からなるべく離れて定められることが望ましい。具体的には、第１温度センサ１１による測定位置を、掌側において、特に親指側に寄った橈骨静脈の位置に合わせ、第２温度センサ１２による測定位置を、手首に対して第１温度センサ１１による測定位置と対称になる位置とするのが望ましい。
ここでは、第１温度センサ１１及び第２温度センサ１２は、リストバンド１０の内面に設けられ、外観上の違和感を生じさせないようにされているが、リストバンド１０に設けられた孔部に埋め込まれて、外側に露出されても良い。
【００１６】
図３は、本実施形態の温度測定装置１００の内部構成を示すブロック図である。
温度測定装置１００は、第１温度センサ１１と、第２温度センサ１２と、ＣＰＵ１３１（Central Processing Unit）（体温検出手段、周辺温度検出手段）と、ＲＡＭ１３２（Random Access Memory）と、記憶部１３３と、通信部１３４及びアンテナＡＮと、内蔵時計１３５と、操作部１４１と、表示部１４２などを備える。
【００１７】
第１温度センサ１１、第２温度センサ１２は、人間の通常の体温を含む温度範囲内で温度を測定する。この第１温度センサ１１と第２温度センサ１２の計測特性は、同一に近いものであることが望ましい。これらの第１温度センサ１１及び第２温度センサ１２は、例えば、物体表面からの黒体放射を検出して物体の表面温度を計測する赤外線放射温度センサが用いられるが、接触温度の計測センサであっても良い。但し、接触温度センサの場合には、皮膚と温度センサとの間で熱平衡に達する必要があるので、環境が変わった際などで逆に温度センサの持つ熱量の影響を受ける場合など、使用に注意が必要である。
【００１８】
ＣＰＵ１３１、ＲＡＭ１３２、記憶部１３３、通信部１３４及び内蔵時計１３５は、処理部１３に設けられている。
ＣＰＵ１３１は、第１温度センサ１１や第２温度センサ１２などの各部の動作を制御し、これらの測定温度に基づいて所定の演算処理を行って体温を算出し、記憶部１３３に履歴を記憶させたり、表示部１４２により操作表示部１４に表示させたりする。ＣＰＵ１３１は、内蔵時計１３５から日時情報を取得して、体温の測定タイミングを管理したり、測定された体温と測定日時とを対応付けて記憶部１３３に記憶させたりしても良い。
【００１９】
ＲＡＭ１３２は、ＣＰＵ１３１に作業用のメモリ空間を提供し、一時データを記憶する。ＲＡＭ１３２としては、通常安価且つ高速なデータ読み書きに用いられるＤＲＡＭやＳＲＡＭが用いられる。
【００２０】
記憶部１３３は、電力供給が行われない状態でデータを保持する不揮発性メモリであり、ＣＰＵ１３１による体温の測定動作に係る制御プログラム、設定データ、及び算出された体温の履歴情報などを保持する。記憶部１３３としては、小型軽量且つ耐久性に大きな問題がないことが望ましく、例えば、フラッシュメモリ、ＳＤカードやｍｉｎｉＳＤカードなどが用いられる。これらの記憶部１３３に用いられる記録媒体は、リストバンド１０に設けられたスロットに着脱可能であって、履歴データなどを他の外部電子機器に移行させるのに用いられても良い。
【００２１】
通信部１３４は、無線ＬＡＮや近距離無線通信、例えば、Bluetooth（登録商標）などにより外部の電子通信機器と通信を行う。通信部１３４は、ＣＰＵ１３１の制御に基づいて測定データや履歴データを当該電子通信機器に送信したり、電子通信機器から動作設定情報などを取得したりする。また、通信部１３４は、第１温度センサ１１及び第２温度センサ１２がＣＰＵ１３１と直接ケーブルなどで繋げられない場合には、測定データを所定のフォーマットで取得してＣＰＵ１３１に出力し、また、ＣＰＵ１３１の動作制御信号を第１温度センサ１１及び第２温度センサ１２に出力する。
【００２２】
内蔵時計１３５は、現在の日時を計数する。ＣＰＵ１３１が測定温度を記憶部１３３に記憶させる場合には、この内蔵時計１３５から日時情報を取得して、測定値と対応付けて記憶させる。また、所定の時間間隔や予め定められた時刻に体温の測定を行う場合に、内蔵時計１３５が計数する日時に基づいて測定タイミングが設定される。
【００２３】
操作部１４１は、ユーザの操作を受け付ける。操作部１４１は、上述のタッチパネルに加えて、例えば、押しボタンスイッチやスライドスイッチなどを備えていても良く、これらに対するユーザ操作が電気信号としてＣＰＵ１３１に出力される。操作部１４１は、電源のオンオフや温度測定動作のオンオフを切り替えたり、体温の測定に係る各種設定を行ったりするのに用いられる。
【００２４】
表示部１４２は、表示画面と表示ドライバなどを備え、ＣＰＵ１３１の制御に基づいて体温の測定結果を表示させたり、体温の測定に係る設定やステータスなどを表示させたりすることが出来る。また、操作部１４１がタッチセンサを備え、表示画面に重ねて設けられる場合には、表示部１４２の表示画面は、当該タッチセンサに対応して各種選択メニューなどの表示に用いられても良い。また、上述の内蔵時計１３５の計数する日時に基づいて日時情報を表示させることが可能な腕時計としての機能を有する温度測定装置１００であっても良い。
【００２５】
次に、本実施形態の温度測定装置１００における体温の測定動作について説明する。
通常、皮膚温は、深部体温（以下、単に体温と記す）から外部環境の影響によってずれが生じた温度となる。外部環境としては、外部の気温、風、衣類の保温性や、炊事、手洗いなどによる水との接触動作などが挙げられる。
【００２６】
一方で、通常、腋などで体温の測定が行われるように、皮膚温は、主だった血管の近くでは体温に近くなりやすい。手首では、掌側において親指側に寄った橈骨静脈Ｂが主だった血管として挙げられるがこれに限られない。一方で、手の甲側には主だった血管がなく、また、外気とも触れやすいことから、外部環境の影響を受けた温度変動がより大きく生じやすい。
【００２７】
本実施形態の温度測定装置１００では、この影響の相対的な度合に着目し、前腕、特に手首付近において、掌側静脈血管付近の内側測定位置における内側皮膚温Ｔｉ（静脈側皮膚温）と、手の甲側であって血管から離れた外側測定位置での外面側皮膚温Ｔｏとの測定差分値Ｔｄ＝Ｔｉ−Ｔｏを考慮する。内側皮膚温Ｔｉ及び外面側皮膚温Ｔｏは、それぞれ、体温Ｔｂと、外部環境に近い、即ち、外気温の影響及び衣類や手洗いなどの影響を共に大きく受ける外面側皮膚温Ｔｏとの環境差分値Ｔｅ＝Ｔｂ−Ｔｏに応じて同等の割合で低下するとして、当該相関関係に基づいて体温が算出される。即ち、ここでは、体温は、内側皮膚温Ｔｉと外面側皮膚温Ｔｏとを変数とした関係式で算出されることになる。
【００２８】
相関に係る関係式及び係数は、特には限られないが、ここでは簡便な処理のため、一次の相関として処理を行う。即ち、以下の数式（１）の関係で近似する。
Ｔｉ−Ｔｏ＝Ａ×（Ｔｂ−Ｔｏ）＋Ｂ  …  （１）
数式（１）を変形することで、体温Ｔｂは、数式（２）により算出される。
Ｔｂ＝（１／Ａ）×（Ｔｉ−Ｔｏ）＋（Ｔｏ−Ｂ／Ａ）
＝（１／Ａ）×Ｔｉ＋（１−（１／Ａ））×Ｔｏ−（Ｂ／Ａ）  …  （２）
【００２９】
このように、体温は、外面側皮膚温Ｔｏに対して測定差分値Ｔｄに応じた値が上乗せされ、所定のオフセットをかけることで求められる。
係数Ａ、Ｂの標準的な値は、予め記憶部１３３に設定データとして、又は計算プログラムの一部として記憶させておき、利用可能とすることが出来るが、これは、脂肪量、体毛や発汗量などユーザの体質などによって変化し得るので、温度測定の対象者に応じて適宜補正されることが好ましい。
【００３０】
なお、体温の測定範囲では、通常、内側皮膚温Ｔｉが外面側皮膚温Ｔｏより高いので、第１温度センサ１１と第２温度センサ１２とが前腕に対して反対（対称位置）に取り付けられている場合であっても、第１温度センサ１１と第２温度センサ１２の測定温度のうち高い方を常に内側皮膚温Ｔｉとして取得することで、体温を算出可能としても良い。
【００３１】
同様の関係式から、第１温度センサ１１及び第２温度センサ１２による測定位置の周囲、即ち、ユーザの手首の周辺温度Ｔａを求めることが出来る。関係式は、以下の数式（３）によって表され、これを変形して、周辺温度Ｔａは、数式（４）によって求められる。
Ｔｉ＝Ｃ×（Ｔｏ−Ｔａ）＋Ｄ  …  （３）
Ｔａ＝−（１／Ｃ）×Ｔｉ＋Ｔｏ＋（Ｄ／Ｃ）…  （４）
【００３２】
ここで求められる周辺温度Ｔａは、リストバンド１０を装着した状態の手首の周囲温度であり、外気温と同一になるとは限られない。また、ユーザの衣類などがリストバンド１０を更に覆っている場合には、衣類の内側の温度が得られることになる。
【００３３】
図４は、本実施形態の温度測定装置で実行される体温測定処理のＣＰＵ１３１による制御手順を示すフローチャートである。
この体温測定処理は、ここでは、操作部１４１へのユーザの所定の入力操作に基づいて開始される。
【００３４】
ＣＰＵ１３１は、第１温度センサ１１及び第２温度センサ１２から測定値を取得する（ステップＳ１０１）。ＣＰＵ１３１は、上述の数式（２）を用いて体温Ｔｂを算出すると共に、数式（４）を用いて周辺温度Ｔａを算出する（ステップＳ１０２）。ＣＰＵ１３１は、算出した体温Ｔｂ及び周辺温度Ｔａを日時情報と対応付けて記憶部１３３に記憶させると共に表示部１４２に表示させ、また、外部の電子通信機器と通信接続がなされている場合には、通信部１３４を介して当該電子通信機器に測定データを送信出力する（ステップＳ１０３）。
【００３５】
ＣＰＵ１３１は、終了操作が検出されたか否かを判別する（ステップＳ１０４）。操作部１４１への終了操作の入力が検出されたと判別された場合には（ステップＳ１０４で“ＹＥＳ”）、ＣＰＵ１３１は、体温測定処理を終了する。終了操作の入力が検出されていないと判別された場合には（ステップＳ１０４で“ＮＯ”）、ＣＰＵ１３１は、次の測定タイミングであるか否かを判別する（ステップＳ１０５）。次の測定タイミングではないと判別された場合には（ステップＳ１０５で“ＮＯ”）、ＣＰＵ１３１の処理は、ステップＳ１０４に戻る。次の測定タイミングであると判別された場合には（ステップＳ１０５で“ＹＥＳ”）、ＣＰＵ１３１の処理は、ステップＳ１０１に戻る。
【００３６】
以上のように、本実施形態の温度測定装置１００は、前腕の第１の部位の温度を測定する第１温度センサ１１と、前腕の第２の部位の温度を測定する第２温度センサ１２と、測定された第１の部位の温度及び第２の部位の温度から体温を検出する体温検出手段としてのＣＰＵ１３１と、を備える。このとき、第１の部位と第２の部位は、一方の部位の前腕における静脈位置との距離に対して、他方の部位の静脈位置との距離が離れているように定められる。
これにより、簡易な前腕の皮膚温の２点での測定により、体温の測定精度をより向上させることが出来る。特に、何れも皮膚温という同一対象の温度を測定するので、同一の測定状況で異なるオフセット要因の影響が出づらい。また、２点で時間差を伴わずに測定が可能であり、熱伝導を考慮する場合のような複数時間での測定も不要なので、時間変化の影響を受けずに測定を行うことが出来る。また、単純に皮膚温の測定を行うので、ユーザの通常動作、活動に対する影響が小さくすることが出来る。また、前腕部での測定を行うので、測定が容易であり、被測定者の行動の邪魔にもなり難い。
【００３７】
また、第１の部位は、手首の掌側の皮膚であり、第２の部位は、手首の手の甲側の皮膚である。これにより、橈骨静脈Ｂに近い掌側の温度と遠い手の甲側の温度とを用いて体温と外部温度との差に基づく適切な温度差を生じさせて、より正確に体温を算出することが出来る。
【００３８】
また、ＣＰＵ１３１は、掌側の皮膚温を静脈側皮膚温とし、手の甲側の皮膚温を外面側皮膚温として、前記静脈側皮膚温と前記外面側皮膚温の差分値に基づいて前記体温を算出するので、外部の影響の受け具合の違いを適切に利用して、より精度の高い温度の測定を行うことが出来る。
【００３９】
また、第１温度センサ１１の測定部位と第２温度センサ１２の測定部位とをユーザの手首において対称な位置に設定可能にこれら第１温度センサ１１及び第２温度センサ１２が設けられたリストバンド１０を備えるので、容易な構成で確実に２つの温度センサを適切な位置に配置して精度の良い体温の測定を行うことが出来る。また、リストバンド１０を用いることでユーザの活動時にもこれらの温度センサを固定し、体温測定を継続的に行うことが出来る。また、大きな場所を占めたり大幅な重量の増加を生じたりせず、また、装着による違和感も少ないことから、容易に体温測定に利用しやすい。
【００４０】
また、ＣＰＵ１３１は周辺温度検出手段として、第１温度センサ１１が測定した内側皮膚温Ｔｉと、第２温度センサ１２が測定した外面側皮膚温Ｔｏとに基づいて、測定位置周囲の周辺温度Ｔａを検出する。これにより、例えば、衣類内の温度を合わせて確認するなどで、ユーザの体調管理に有効なデータを容易に取得することが出来る。
【００４１】
また、第１温度センサ１１及び第２温度センサ１２には、それぞれ赤外線放射温度センサが用いられる。これにより、速やかに温度を測定することが出来る。また、接触型熱温度計における熱流、熱伝導や熱平衡などの考慮が不要であって、特に、測定時やその直前における外部環境の変化などの影響を受けづらい。
【００４２】
また、温度センサを用いた本実施形態の温度測定方法は、前腕の第１の部位の温度を測定する第１測定ステップ、前腕の第２の部位の温度を測定する第２測定ステップ、測定された第１の部位の温度及び第２の部位の温度から体温を検出する体温検出ステップ、を含み、このとき、第１の部位と第２の部位は、一方の部位の前腕における静脈位置との距離に対して、他方の部位の静脈位置との距離が離れているように定められる。
このような測定方法により、測定容易な箇所に対する簡便な測定動作で周辺温度の変動に対応したより精度の高い体温の測定を行うことが出来る。
【００４３】
なお、本発明は、上記実施の形態に限られるものではなく、様々な変更が可能である。
例えば、上記実施の形態では、掌側の測定位置を橈骨静脈Ｂの位置に合わせることが好ましい旨記載したが、多少ずれていても大きなずれは生じない。例えば、内側皮膚温Ｔｉの測定位置が掌側から若干ずれて手首の横側に近い位置となっても良い。
【００４４】
また、上記実施の形態では、２個の温度センサをリストバンド１０に配置することとしたが、３個以上の温度センサを配置し、これらの測定値のうち最も温度が高いものを第１の部位における内側皮膚温Ｔｉとし、最も温度が低いものや、第１の部位から最も遠いものを第２の部位における外面側皮膚温Ｔｏとしても良い。これにより、ユーザが方向を意識せずにリストバンド１０を装着しても、適切に体温の測定を行うことが出来る。
【００４５】
また、上記実施の形態では、ベルトなどを含むリストバンド１０に第１温度センサ１１及び第２温度センサ１２を取り付けることで、容易に２点の測定位置を定めることを可能とし、また、これを維持しやすくしたが、必ずしもリストバンド１０に取り付けられている必要はなく、２つの温度センサをユーザが直接手首の両側に配置して温度の測定を行っても良いし、或いは、予め支持台などに固定された２つの温度センサの間に手首を差し込んで温度の測定を行っても良い。
【００４６】
また、上記実施の形態では、第１温度センサ１１及び第２温度センサ１２に直接接続された処理部のＣＰＵ１３１により体温及び周辺温度の算出を行ったが、外部の電子機器で２つの温度センサによる測定データを取得し、当該電子機器で演算処理を行わせても良い。
【００４７】
また、リストバンド１０には、測定温度に影響を与えない範囲において、他の計測センサ、例えば、脈拍センサなどが併せて設けられていても良い。この場合、これらの各センサも取り付け位置に応じて適切な補正が行われる必要がある場合があるが、各センサの位置と、第１の部位及び第２の部位との位置関係に応じて適宜補正値が設定されても良い。
【００４８】
また、上記実施の形態では、第１温度センサ１１及び第２温度センサ１２で測定した２箇所の皮膚温から所定式を用いて体温を算出したが、例えば、この所定式により２箇所の皮膚温に対する体温を算出した表などを事前に用意し、記憶部１３３がこの表データを備えてＣＰＵ１３１により参照されることにより体温を検出するようにしても良い。
その他、上記実施の形態で示した具体的な構成、動作の内容や手順などは、本発明の趣旨を逸脱しない範囲において適宜変更可能である。
【００４９】
［実験例］
被験者に対し、冬季に室内外環境で２日間に亘り就寝時を除いて毎時手首の掌側と手の甲側に温度センサを配置し、温度の測定を行った。体温は、従来の方法で口内体温を測定した。
【００５０】
図５は、測定結果から得られる体温Ｔｂと外面側皮膚温Ｔｏの差と、内側皮膚温Ｔｉと外面側皮膚温Ｔｏの差との対応関係をプロットした図である。直線は、これらのデータ点から算出された回帰直線であり、各点は、相関係数ｒ＝０．９１４で分布するという結果が得られた。
【００５１】
本発明のいくつかの実施形態を説明したが、本発明の範囲は、上述の実施の形態に限定されるものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５２】
［付記］
＜請求項１＞
前腕の第１の部位の温度を測定する第１の測定手段と、
前腕の第２の部位の温度を測定する第２の測定手段と、
測定された前記第１の部位の温度及び前記第２の部位の温度から体温を検出する体温検出手段と、を備え、
前記第１の部位と前記第２の部位は、一方の部位の前腕における静脈位置との距離に対して、他方の部位の前記静脈位置との距離は離れている
ことを特徴とする温度測定装置。
＜請求項２＞
前記第１の部位は、手首の掌側の皮膚であり、前記第２の部位は、手首の手の甲側の皮膚であることを特徴とする請求項１記載の温度測定装置。
＜請求項３＞
前記体温検出手段は、前記掌側の皮膚温を静脈側皮膚温とし、前記手の甲側の皮膚温を外面側皮膚温として、前記静脈側皮膚温と前記外面側皮膚温の差分値に基づいて前記体温を検出することを特徴とする請求項２記載の温度測定装置。
＜請求項４＞
前記第１の測定手段の測定部位と前記第２の測定手段の測定部位とをユーザの手首において対称な位置に設定可能に前記第１の測定手段及び前記第２の測定手段が設けられた手首装着具を備えることを特徴とする請求項１〜３の何れか一項に記載の温度測定装置。
＜請求項５＞
前記第１の測定手段が測定した温度と、前記第２の測定手段が測定した温度とに基づいて、測定位置周囲の周辺温度を検出する周辺温度検出手段を備えることを特徴とする請求項１〜４の何れか一項に記載の温度測定装置。
＜請求項６＞
前記第１の測定手段及び前記第２の測定手段には、それぞれ赤外線放射温度センサが用いられることを特徴とする請求項１〜５の何れか一項に記載の温度測定装置。
＜請求項７＞
表面温度を測定する測定手段を用いた温度測定方法であって、
前腕の第１の部位の温度を測定する第１測定ステップ、
前腕の第２の部位の温度を測定する第２測定ステップ、
測定された前記第１の部位の温度及び前記第２の部位の温度から体温を検出する体温検出ステップ、を含み、
前記第１の部位と前記第２の部位は、一方の部位の前腕における静脈位置との距離に対して、他方の部位の前記静脈位置との距離は離れている
ことを特徴とする温度測定方法。
【符号の説明】
【００５３】
１０   リストバンド
１１   第１温度センサ
１２   第２温度センサ
１３   処理部
１４   操作表示部
１００ 温度測定装置
１３１ ＣＰＵ
１３２ ＲＡＭ
１３３ 記憶部
１３４ 通信部
１３５ 内蔵時計
１４１ 操作部
１４２ 表示部
ＡＮ   アンテナ
Ｂ     橈骨静脈
【図１】
2017055968.tif 000003
【図２】
2017055968.tif 000004
【図３】
2017055968.tif 000005
【図４】
2017055968.tif 000006
【図５】
2017055968.tif 000007